(57)【特許請求の範囲】
【請求項１】
景勝地を臨む撮影ポイントの位置とその撮影ポイントから景勝地を撮影した状態を示す見本画像とを含む景勝地情報を複数記憶する記憶手段と、
現在位置を取得する現在位置取得手段と、
撮影方向を検出する撮影方向検出手段と、
前記記憶手段に記憶されているいずれかの景勝地情報に含まれる撮影ポイントまでの距離が、前記現在位置取得手段によって取得される現在位置に対して第１の距離以内となり、かつ、前記撮影方向検出手段によって検出された現在の撮影方向が任意の撮影ポイントから景勝地を臨む方向に向いている場合に、この撮影ポイントから撮影された見本画像であって、前記第１の距離以内となった景勝地情報に含まれる見本画像を表示する表示制御手段と
を備えたことを特徴とする撮像装置。
【請求項２】
前記表示制御手段は、撮影ポイントまでの距離が現在位置に対して前記第１の距離以内となった景勝地情報に含まれる１つの見本画像をスルー画像上に透過表示することを特徴とする請求項１に記載の撮像装置。
【請求項３】
前記表示制御手段は、
前記記憶手段に記憶されている各景勝地情報に含まれる撮影ポイントまでの距離が、現在位置に対して前記第１の距離以上である複数の景勝地情報を第１の表示形態で一覧表示し、この第１の表示形態で一覧表示されているいずれかの景勝地情報に含まれる撮影ポイントまでの距離が、現在位置に対して第１の距離以内となったときに、この第１の距離以内となった景勝地情報に含まれる見本画像をスルー画像上に表示する
ことを特徴とする請求項１または２に記載の撮像装置。
【請求項４】
前記撮影方向検出手段は、前記撮影方向として、東西南北の方位と、仰角または俯角を検出することを特徴とする請求項１乃至請求項３いずれかに記載の撮像装置。
【請求項５】
景勝地に係る位置と景勝地に係る見本画像とを含む景勝地情報を複数記憶する記憶手段と、
現在位置を取得する現在位置取得手段と、
前記記憶手段に記憶されている各景勝地情報に含まれる位置までの距離が、前記現在位置取得手段によって取得された現在位置に対して第１の距離以上である複数の景勝地情報を第１の表示形態で一覧表示する第１の表示手段と、
前記記憶手段に記憶されている各景勝地情報に含まれる位置までの距離が、前記現在位置取得手段によって取得された現在位置に対して前記第１の距離以内である複数の景勝地情報を前記第１の表示形態とは異なる第２の表示形態で一覧表示する第２の表示手段と、
前記記憶手段に記憶されている各景勝地情報に含まれる位置までの距離が、前記現在位置取得手段によって取得される現在位置に対して前記第１の距離よりも短い第２の距離以内となったときに、この第２の距離以内となった景勝地情報に含まれる見本画像を表示する第３の表示手段と
を備えたことを特徴とする撮像装置。
【請求項６】
前記第２の表示手段は、前記第２の表示形態として、複数の景勝地情報に含まれる複数の見本画像をサムネイル表示することを特徴とする請求項５に記載の撮像装置。
【請求項７】
前記第１の表示手段は、第１の表示形態として、複数の景勝地情報に含まれる複数の撮影ポイントの位置を地図上に識別表示することを特徴とする請求項５または請求項６に記載の撮像装置。
【請求項８】
前記第３の表示手段は、撮影ポイントまでの距離が現在位置に対して前記第２の距離以内となった景勝地情報に含まれる１つの見本画像をスルー画像上に透過表示することを特徴とする請求項５乃至請求項７いずれかに記載の撮像装置。
【請求項９】
景勝地を臨む撮影ポイントの位置とその撮影ポイントから景勝地を撮影した状態を示す見本画像とを含む景勝地情報を複数記憶する記憶手段と、
現在位置を取得する現在位置取得手段と、
現在の天候に関する情報を取得する天候情報取得手段と、
前記記憶手段に記憶されているいずれかの景勝地情報に含まれる撮影ポイントまでの距離が、前記現在位置取得手段によって取得される現在位置に対して第１の距離以内である場合に、この第１の距離以内である景勝地情報に含まれる見本画像を表示する表示制御手段と
を備え、
前記記憶手段は、撮影ポイントから撮影された見本画像を異なる天候に対応して複数記憶し、
前記表示制御手段は、前記天候情報取得手段により取得される天候に関する情報に応じて表示する見本画像の絞り込みを行う
ことを特徴とする撮像装置。
【請求項１０】
さらに、撮影した画像に前記天候情報取得手段により取得される天候に関する情報を付加してネットワーク上のサーバにアップロード可能なアップロード手段を備えたことを特徴とする請求項９に記載の撮像装置。
【請求項１１】
前記表示制御手段は、撮影ポイントまでの距離が現在位置に対して前記第１の距離以内である景勝地情報に含まれる１つの見本画像をスルー画像上に透過表示することを特徴とする請求項９または１０に記載の撮像装置。
【請求項１２】
景勝地を臨む撮影ポイントの位置とその撮影ポイントから景勝地を撮影した状態を示す第１の見本画像と、景勝地の位置とその景勝地を示す代表画像である第２の見本画像とを含む景勝地情報を複数記憶する記憶手段と、
現在位置を取得する現在位置取得手段と、
前記記憶手段に記憶されている各景勝地情報に含まれる景勝地の位置または撮影ポイントの位置と、前記現在位置取得手段によって取得される現在位置との関係に応じて、各景勝地情報に含まれる前記第１の見本画像および前記第２の見本画像の表示を制御する表示制御手段と
を備えたことを特徴とする撮像装置。
【請求項１３】
前記表示制御手段は、現在位置に対して第１の距離以内である撮影ポイントの位置を含む景勝地情報については前記第１の見本画像を表示し、現在位置に対して第１の距離以上である撮影ポイントの位置を含む景勝地情報については前記第２の見本画像を表示することを特徴とする請求項１２に記載の撮像装置。
【請求項１４】
前記表示制御手段は、現在位置に対して第１の距離以内である撮影ポイントの位置を含む景勝地情報については前記第１の見本画像をスルー画像上に透過表示することを特徴とする請求項１２または１３に記載の撮像装置。
【請求項１５】
景勝地の位置と、景勝地を臨む撮影ポイントの位置とを含む景勝地情報を複数記憶する記憶手段と、
現在位置を取得する現在位置取得手段と、
前記記憶手段に記憶されているいずれかの撮影ポイントまでの距離が現在位置に対して所定距離以内となるまでの間は、景勝地の位置に基づく案内表示を行い、いずれかの撮影ポイントまでの距離が現在位置に対して所定距離以内となったときには、景勝地の撮影ポイントの位置に基づく案内表示を行う表示制御手段と
を備えたことを特徴とする撮像装置。
【請求項１６】
現在位置を取得する現在位置取得工程と、
撮影方向を検出する撮影方向検出工程と、
景勝地を臨む撮影ポイントの位置とその撮影ポイントから景勝地を撮影した状態を示す見本画像とを含む景勝地情報を複数記憶する記憶手段に記憶されているいずれかの景勝地情報に含まれる撮影ポイントまでの距離が、前記現在位置取得工程によって取得される現在位置に対して第１の距離以内となり、かつ、前記撮影方向検出工程によって検出された現在の撮影方向が任意の撮影ポイントから景勝地を臨む方向に向いている場合に、この撮影ポイントから撮影された見本画像であって、前記第１の距離以内となった景勝地情報に含まれる見本画像を表示する表示制御工程と
を含むことを特徴とする撮像方法。
【請求項１７】
撮像装置のコンピュータに、
景勝地を臨む撮影ポイントの位置とその撮影ポイントから景勝地を撮影した状態を示す見本画像とを含む景勝地情報を複数記憶する記憶手段、
現在位置を取得する現在位置取得手段、
撮影方向を検出する撮影方向検出手段、
前記記憶手段に記憶されているいずれかの景勝地情報に含まれる撮影ポイントまでの距離が、前記現在位置取得手段によって取得される現在位置に対して第１の距離以内となり、かつ、前記撮影方向検出手段によって検出された現在の撮影方向が任意の撮影ポイントから景勝地を臨む方向に向いている場合に、この撮影ポイントから撮影された見本画像であって、前記第１の距離以内となった景勝地情報に含まれる見本画像を表示する表示制御手段と
としての機能を与えることを特徴とするプログラム。
【発明の詳細な説明】
【技術分野】
【０００１】
本発明は、撮像装置、撮像方法及びプログラムに関し、詳細には、近くの景勝地やお勧め撮影ポイントの場所案内を行うことができる撮像装置、撮像方法及びプログラムに関する。
【背景技術】
【０００２】
近年、デジタルカメラを代表とする撮像装置の多機能化が著しく、たとえば、近くの景勝地やお勧め撮影ポイントの位置を地図上に表示できる機能を有するものまで提案されている（下記の特許文献１など参照）。この提案技術によれば、近くの景勝地やお勧め撮影ポイントの場所案内を行うことができ、旅先等でいちいちガイドブックなどを開く必要がないので利便性がよい。
【先行技術文献】
【特許文献】
【０００３】
【特許文献１】特開２０１０−１４１４３２号公報
【発明の概要】
【発明が解決しようとする課題】
【０００４】
前記のとおり、提案技術は、近くの景勝地やお勧め撮影ポイントの場所案内を行うことができるという利点があるものの、たとえば、撮影画像の出来映えの点で未だ改善すべき余地がある。
【０００５】
撮影画像の出来映えは、いうまでもなく、その画像を見る人の主観に基づく感想であるが、一般的には、適正露出で且つシャッタブレがない画像のことを「出来映えがよい画像」であると多くの人が評価し、また、それに加えて、さらに構図のよい画像についても「出来映えがよい画像」であると多くの人が評価する。
【０００６】
さて、今日の撮像装置における自動撮影モードは前者の２つ、すなわち、適正露出とシャッタブレ防止を高いレベルで達成しているので、初心者であってもこれら２つの条件（適正露出とシャッタブレ防止）を満たした“出来映えがよい画像”を得ることができるが、他の１つの条件である「構図」については当該自動撮影モードでもいまだ対応できていない。
【０００７】
したがって、仮に前記の提案技術と公知の自動撮影モードとを組み合わせたとしても、適正露出とシャッタブレ防止を満たした画像が得られるだけであり、結局のところ、構図については依然として撮影者の技量に依存するから、とりわけ初心者にあっては構図の善し悪しも含めた出来映えがよい画像を得にくいという問題点がある。
【０００８】
そこで、本発明は、近くの景勝地やお勧め撮影ポイントの場所案内だけでなく、適正な撮影構図の指南も行うことができ、技量にかかわらず構図も含めた出来映えのよい画像を容易に得ることができる撮像装置、撮像方法及びプログラムを提供することにある。
【課題を解決するための手段】
【０００９】
第１の発明は、景勝地を臨む撮影ポイントの位置とその撮影ポイントから景勝地を撮影した状態を示す見本画像とを含む景勝地情報を複数記憶する記憶手段と、現在位置を取得する現在位置取得手段と、撮影方向を検出する撮影方向検出手段と、前記記憶手段に記憶されているいずれかの景勝地情報に含まれる撮影ポイントまでの距離が、前記現在位置取得手段によって取得される現在位置に対して第１の距離以内となり、かつ、前記撮影方向検出手段によって検出された現在の撮影方向が任意の撮影ポイントから景勝地を臨む方向に向いている場合に、この撮影ポイントから撮影された見本画像であって、前記第１の距離以内となった景勝地情報に含まれる見本画像を表示する表示制御手段とを備えたことを特徴とする。
第２の発明は、景勝地に係る位置と景勝地に係る見本画像とを含む景勝地情報を複数記憶する記憶手段と、現在位置を取得する現在位置取得手段と、前記記憶手段に記憶されている各景勝地情報に含まれる位置までの距離が、前記現在位置取得手段によって取得された現在位置に対して第１の距離以上である複数の景勝地情報を第１の表示形態で一覧表示する第１の表示手段と、前記記憶手段に記憶されている各景勝地情報に含まれる位置までの距離が、前記現在位置取得手段によって取得された現在位置に対して前記第１の距離以内である複数の景勝地情報を前記第１の表示形態とは異なる第２の表示形態で一覧表示する第２の表示手段と、前記記憶手段に記憶されている各景勝地情報に含まれる位置までの距離が、前記現在位置取得手段によって取得される現在位置に対して前記第１の距離よりも短い第２の距離以内となったときに、この第２の距離以内となった景勝地情報に含まれる見本画像を表示する第３の表示手段とを備えたことを特徴とする。
第３の発明は、景勝地を臨む撮影ポイントの位置とその撮影ポイントから景勝地を撮影した状態を示す見本画像とを含む景勝地情報を複数記憶する記憶手段と、現在位置を取得する現在位置取得手段と、現在日時を取得する日時取得手段と、現在の天候に関する情報を取得する天候情報取得手段と、前記記憶手段に記憶されているいずれかの景勝地情報に含まれる撮影ポイントまでの距離が、前記現在位置取得手段によって取得される現在位置に対して第１の距離以内である場合に、この第１の距離以内である景勝地情報に含まれる見本画像を表示する表示制御手段とを備え、前記記憶手段は、撮影ポイントから撮影された見本画像を異なる日時や天候に対応して複数記憶し、前記表示制御手段は、前記日時取得手段により取得される日時および前記天候情報取得手段により取得される天候に関する情報に応じて表示する見本画像の絞り込みを行うことを特徴とする。
第４の発明は、景勝地を臨む撮影ポイントの位置とその撮影ポイントから景勝地を撮影した状態を示す第１の見本画像と、景勝地の位置とその景勝地を示す代表画像である第２の見本画像とを含む景勝地情報を複数記憶する記憶手段と、現在位置を取得する現在位置取得手段と、前記記憶手段に記憶されている各景勝地情報に含まれる景勝地の位置または撮影ポイントの位置と、前記現在位置取得手段によって取得される現在位置との関係に応じて、各景勝地情報に含まれる前記第１の見本画像および前記第２の見本画像の表示を制御する表示制御手段とを備えたことを特徴とする。
第５の発明は、景勝地の位置と、景勝地を臨む撮影ポイントの位置とを含む景勝地情報を複数記憶する記憶手段と、現在位置を取得する現在位置取得手段と、前記記憶手段に記憶されているいずれかの撮影ポイントまでの距離が所定距離以内となるまでの間は、景勝地の位置に基づく案内表示を行い、いずれかの撮影ポイントまでの距離が所定距離以内となったときには、景勝地の撮影ポイントの位置に基づく案内表示を行う表示制御手段とを備えたことを特徴とする。
【発明の効果】
【００１０】
本発明によれば、近くの景勝地やお勧め撮影ポイントの場所案内だけでなく、適正な撮影構図の指南も行うことができ、技量にかかわらず構図も含めた出来映えのよい画像を容易に得ることができる撮像装置、撮像方法及びプログラムを提供することができる。
【図面の簡単な説明】
【００１１】
【図１】撮像装置の外観図である。
【図２】撮像装置の内部ブロック図である。
【図３】メモリ２１の記憶空間の模式的構造図である。
【図４】地図情報２９の一例を示す図である。
【図５】撮影指南情報テーブル４１の模式的構造図である。
【図６】場所案内の表示例を示す図である。
【図７】目的地に接近したときの表示例を示す図である。
【図８】撮影ポイントにおける構図指南の説明図である。
【図９】中央制御部１９のＣＰＵ１９ａで実行される制御プログラムの要部フローを示す図（１／２）である。
【図１０】中央制御部１９のＣＰＵ１９ａで実行される制御プログラムの要部フローを示す図（２／２）である。
【図１１】制御プログラムの変形例を示す図である。
【図１２】制御プログラムの他の変形例を示す図である。
【発明を実施するための形態】
【００１２】
以下、本発明の実施形態を、図面を参照しながら説明する。
まず、構成を説明する。
図１は、撮像装置の外観図である。この図において、撮像装置１は、手持ちに適した形状を有する筐体２の背面にタッチパネル３付の表示部４と、各種の操作ボタン（たとえば、撮影／再生モード切り替えボタン５、メニューボタン６、上下左右操作キー７、実行ボタン８など）とを配置し、また、筐体２の上面にシャッタボタン９や電源スイッチ１０などを配置し、さらに、筐体２の前面に撮影レンズ等の光学系１１を収めた沈胴式または固定式のレンズ鏡筒１２と、ストロボ発光窓１３とを配置して構成されている。なお、この図では省略しているが、筐体２の底面などにバッテリや記憶媒体（後述のメモリ２１）の脱着蓋が設けられており、さらに、筐体２の底面または側面もしくはその他の任意の場所に外部インターフェース（後述の外部Ｉ／Ｆ２２）用の信号コネクタが設けられている。
【００１３】
図２は、撮像装置の内部ブロック図である。撮像装置１は、撮像部１４、ストロボ発光部１５、操作部１６、位置検出部１７、方位検出部１８、中央制御部１９、タッチパネル３、表示部４、メモリＩ／Ｆ（インターフェース）２０、メモリ２１、外部Ｉ／Ｆ２２、近距離無線部２３、及び、電源部２４などを備える。
【００１４】
撮像部１４は、撮影レンズや絞り機構、フォーカス機構及びズーム機構等からなる光学系１１と、その光学系１１を介して取り込まれた任意の被写体の光学像を２次元的な画像信号に変換して出力するＣＣＤやＣＭＯＳ等の２次元撮像デバイス２４とを含み、中央制御部１９からの制御を受けて、光学系１１の絞り機構やフォーカス機構及びズーム機構等を駆動しつつ、２次元撮像デバイス２４で被写体の静止画や動画または連写画像を撮像して、その撮像データ（以下、画像データ）を中央制御部１９に出力する。
【００１５】
ストロボ発光部１５は、必要に応じ、中央制御部１９からの制御を受けて撮影時の補助発光を行う。
【００１６】
操作部１６は、筐体２の各部に設けられた各種ボタン類（撮影／再生モード切り替えボタン５、メニューボタン６、上下左右操作キー７、実行ボタン８、シャッタボタン９、電源スイッチ１０など）を含み、ユーザによる任意のボタン操作に応答し、当該ボタンに対応した操作信号を発生して中央制御部１９に出力する。
【００１７】
位置検出部１７は、撮像装置１の現在位置を検出するためのデバイスであり、典型的にはＧＰＳ衛星を利用した位置検出デバイスである。ＧＰＳはＧｌｏｂａｌ  Ｐｏｓｉｔｉｏｎｉｎｇ  Ｓｙｓｔｅｍ（全地球測位システム）の略であり、高度約２０，０００Ｋｍの軌道を１周約１２時間かけて周回するおよそ３０個のＧＰＳ衛星のうち、測位点の上空にある数個の衛星からの信号を受けることにより、その信号から測位点の位置座標（実測座標）を知ることができるシステムである。民間利用の位置検出精度は１００ｍ程度といわれているが、ＤＧＰＳ（Ｄｉｆｆｅｒｅｎｔｉａｌ  ＧＰＳ）を利用すれば１０ｍ以内という極めて高い精度が得られる。ＤＧＰＳは、２つの受信機を使い、それぞれの測位位置の差により正確な位置を求めるというものである。要求される精度に応じてＧＰＳ単独またはＤＧＰＳと併用すればよい。以下、この位置検出部１７をＧＰＳ衛星を利用したものとして説明すると、位置検出部１７は、中央制御部１９からの制御を受けて、ＧＰＳアンテナ１７ａを介して複数のＧＰＳ衛星からの信号を受信し、それらの信号に基づいて現在の位置座標を測位し、その測位結果を中央制御部１９に出力する。
【００１８】
方位検出部１８は、撮像装置１の「向き」を検出するためのデバイスであり、たとえば、ＭＩ（Ｍａｇｎｅｔｏ−ｉｍｐｅｄａｎｃｅ  Ｅｆｆｅｃｔ）センサなどの地磁気を利用した電子コンパスを用いることができる。方位検出部１８は、東西南北の略水平面内の“撮影方向”、つまり、光学系１１の撮影レンズが向いている方向を撮像装置１の「向き」として検出する。なお、この場合の撮影方向は仰角（上向き撮影）や俯角（下向き撮影）を含むものであってもよい。
【００１９】
中央制御部１９は、コンピュータまたはマイクロコンピュータ（以下、ＣＰＵ）１９ａ、読み出し専用半導体メモリ（以下、ＲＯＭ）１９ｂおよび高速半導体メモリ（以下、ＲＡＭ）１９ｃならびに不図示の周辺回路を含むプログラム制御方式の制御要素であり、あらかじめＲＯＭ１９ｂに格納されている制御プログラムをＲＡＭ１９ｃにロードしてＣＰＵ１９ａで実行することにより、各種の処理を逐次に実行して、この撮像装置１の全体動作を統括制御する。なお、ＲＯＭ１９ｂは、書き換え可能な不揮発性半導体メモリ（フラッシュメモリやＰＲＯＭなど）であってもよい。
【００２０】
表示部４は、液晶ディスプレイ等の平面表示デバイスであり、好ましくは、その前面にタッチパネル３を併設したものである。この表示部４は、中央制御部１９から適宜に出力される情報を表示し、また、ユーザによってタッチパネル３にタッチ操作が行われた場合に、そのタッチ位置の情報を中央制御部１９に出力する。
【００２１】
メモリＩ／Ｆ２０は、たとえば、メモリ２１の規格（ＳＤカード等）に対応した汎用インターフェースであり、中央制御部１９とメモリ２１との間に位置して相互のデータのやりとりを仲介する。
【００２２】
メモリ２１は、不揮発性且つ書き換え可能な情報記憶要素であり、たとえば、ＳＤカード等のフラッシュメモリやハードディスク、シリコンディスクなどを用いることができる。このメモリ２１は、撮像部１４で撮影された画像データなどを記憶保存するほか、後述する地図情報（図４参照）や撮影指南情報テーブル（図５参照）を記憶保存する。
【００２３】
外部Ｉ／Ｆ２２は、パーソナルコンピュータなどの外部機器２５とのデータインターフェースである。外部機器２５は、この外部Ｉ／Ｆ２２と中央制御部１９とを介してメモリ２１にアクセスすることが可能であり、メモリ２１に記憶されている画像データや地図情報及び撮影指南情報テーブルなどを読み出したり、または、メモリ２１に書き戻したり、あるいは、新たな画像データや地図情報などをメモリ２１に書き込んだりする。
【００２４】
近距離無線部２３は、たとえば、ＷｉＦｉやＢｌｕｅｔｏｏｔｈ（登録商標）などの近距離無線通信を利用して最寄りのアクセスポイント（以下、ＡＰ）２６に接続し、このＡＰ２６を経由してネットワーク（ローカルネットワークまたはインターネットなどの広域ネットワーク）２７のサーバ２８にアクセスすることができるものであり、必要に応じて、サーバ２８から所望のデータをダウンロードしたり、サーバ２８にデータをアップロードしたりすることができるものである。このサーバ２８の役目や利用の仕方については後で説明する。
【００２５】
電源部２４は、１次電池または充電可能な２次電池からなるバッテリを含み、このバッテリの電力から撮像装置１の動作に必要な各種電源電圧を発生して、撮像装置１の各部に供給する。
【００２６】
図３は、メモリ２１の記憶空間の模式的構造図である。この図において、メモリ２１は、撮影済みの画像ファイル等を記憶する第１の領域２１ａを有するほか、さらに、地図情報（図４の地図情報２９参照）を記憶する第２の領域２１ｂや、撮影指南情報テーブル（図５の撮影指南情報テーブル４１参照）を記憶する第３の領域２１ｃを少なくとも有している。
【００２７】
図４は、地図情報２９の一例を示す図である。この図において、地図情報２９は、一般的にコンピュータの画面に表示して利用することができる、いわゆる電子地図情報である。
【００２８】
この地図情報２９は、後述するように、近くの景勝地やお勧め撮影ポイントの「場所案内」や、現在地から近くの景勝地やお勧め撮影ポイントへの「道案内」のために用いられる。地図情報２９はできるだけ広域なエリア（日本全域等）を網羅していることが望ましいものの、そのような広域の地図情報２９は情報量が多く、しかも、メモリ２１の記憶容量も有限であることから、現実的には必要なエリアに的を絞った特定地域の地図情報２９をその都度入手してメモリ２１の第２の領域２１ｂに記憶することになる。
【００２９】
図示の地図情報２９は特定地域（説明上の架空の地域）のものを示しており、さらに説明の便宜のための、いくつかの道路や、いくつかの景勝地、及び、それらの景勝地ごとのいくつかの撮影ポイントといった地図要素を適所に配置して例示している。具体的には、図示の地図情報２９は、複数の道路３０〜３９の経路と、２つの景勝地Ｋ１、Ｋ２の位置と、景勝地Ｋ１の撮影ポイントＫ１＿Ｐ１、Ｋ１＿Ｐ２、Ｋ１＿Ｐ３の位置と、景勝地Ｋ２の撮影ポイントＫ２＿Ｐ１、Ｋ２＿Ｐ２、Ｋ２＿Ｐ３の位置とを北向きで、且つ、所定縮尺の地図上に表している。
ここで、図中の丸記号（○）は景勝地Ｋ１、Ｋ２を表し、また、星記号（☆）は、それら景勝地Ｋ１、Ｋ２の撮影ポイントＫ１＿Ｐ１、Ｋ１＿Ｐ２、Ｋ１＿Ｐ３、Ｋ２＿Ｐ１、Ｋ２＿Ｐ２、Ｋ２＿Ｐ３を表している。また、「景勝地」とは、美しいと評判の景観を持つ地形地物などであり、また、「撮影ポイント」とは、地元で有名な、あるいは、プロの写真家などから推薦されたお勧めの撮影場所のことをいう。
【００３０】
図５は、撮影指南情報テーブル４１の模式的構造図である。この図において、撮影指南情報テーブル４１は、複数のフィールド、たとえば、景勝地名フィールド４１ａ、第１の見本画像フィールド４１ｂ、景勝地位置情報フィールド４１ｃ、撮影ポイント位置情報フィールド４１ｄ、撮影方向フィールド４１ｅ、及び、第２の見本画像フィールド４１ｆなどで構成されたレコードに、景勝地名や、その景勝地を撮影した画像の見本（以下、第１の見本画像という）、景勝地の位置情報、お勧めの撮影ポイントの位置情報、撮影方向、及び、撮影ポイントから景勝地を撮影した画像の見本（以下、第２の見本画像という）などの撮影指南情報を記憶保存している。なお、第１の見本画像は、景勝地を示すものであれば“画像”に限定されない。たとえば、実際に撮影した画像の代わりにイラストなどを用いてもよい。また、第２の見本画像は、撮影ポイントから景勝地を撮影した状態、つまり、撮影ポイントから景勝地を撮影する際の構図を示すものであればよく、実際に撮影した画像の他にも、合成された画像や被写体の輪郭線を示す画像などを用いてもよい。
【００３１】
この撮影指南情報テーブル４１と先の地図情報２９（図４参照）とは相互に対応している。つまり、図示の例に従えば、地図情報２９の一の景勝地Ｋ１と同じ名前（便宜的に“Ｋ１”）が撮影指南情報テーブル４１の景勝地名フィールド４１ａに記憶保存されており、また、その景勝地Ｋ１の位置情報として地図情報２９の座標（Ｋ１（Ｘ，Ｙ））が景勝地位置情報フィールド４１ｃに記憶保存されている。さらに、その景勝地Ｋ１の撮影ポイントの位置情報として地図情報２９の座標（Ｋ１＿Ｐ１（Ｘ，Ｙ）〜Ｋ１＿Ｐ３（Ｘ，Ｙ））が撮影ポイント位置情報フィールド４１ｄに記憶保存されている。
同様に、地図情報２９の二の景勝地Ｋ２と同じ名前（便宜的に“Ｋ２”）が撮影指南情報テーブル４１の景勝地名フィールド４１ａに記憶保存されており、また、その景勝地Ｋ２の位置情報として地図情報２９の座標（Ｋ２（Ｘ，Ｙ））が景勝地位置情報フィールド４１ｃに記憶保存されている。さらに、その景勝地Ｋ２の撮影ポイントの位置情報として地図情報２９の座標（Ｋ２＿Ｐ１（Ｘ，Ｙ）〜Ｋ２＿Ｐ３（Ｘ，Ｙ））が撮影ポイント位置情報フィールド４１ｄに記憶保存されている。
【００３２】
撮影指南情報テーブル４１には二種類の見本画像（第１の見本画像と第２の見本画像）が記憶保存されている。第１の見本画像は景勝地を撮影した画像の見本であり、その景勝地を最も適切に表すと思われる代表的な画像である。たとえば、富士山の見本画像としてふさわしいものはいろいろあるが、一般的には静岡県側から見た「表富士」が有名とされているので、同県内の適当な場所（たとえば、御殿場市あたり）から撮影した画像を見本画像（第１の見本画像）とすることができる。このように、第１の見本画像は、その景勝地を適切に表すと思われる代表的な画像であればよく、あるいはイラストであってもよい。
これに対して、第２の見本画像は、その景勝地の撮影画像である点で第１の見本画像と共通するものの、特定の撮影ポイントからの撮影画像である点で第１の見本画像と相違する。つまり、第１の見本画像の撮影場所は特に重要でない（代表的な画像やイラストであればよい）が、第２の見本画像の撮影場所は、撮影場所を指南するための情報（撮影指南情報）として欠かせない。第２の見本画像はお勧めの撮影ポイントからの撮影画像だからであり、その第２の見本画像と同じ画像の撮影を希望するユーザに対して、その撮影場所（撮影ポイント）への場所案内を行う必要があるからである。
さらに、第２の見本画像の撮影方向の情報も撮影指南情報に加えておくことが望ましい。お勧めの撮影ポイントにおいて、どの方向から景勝地を撮影したのかが分かると、撮影をスムーズに行うことができるからである。あるいは、１つの撮影ポイントから複数の景勝地が望める場合には、撮影方向を手掛かりにして対象となる景勝地を絞り込むことができるからである。
【００３３】
次に、作用を説明する。
まず、はじめに実施形態における撮影指南の流れを順を追って説明する。
図６は、場所案内の表示例を示す図である。（ａ）に示すように、場所案内中、表示部４の画面は、画面の大部分に割り当てられた地図表示領域４ａと、画面の残りの部分（図では右端部の小部分）に割り当てられたサムネイル表示領域４ｂとに分けられている。地図表示領域４ａに所定範囲（地図表示距離Ｒ１）の地図情報４２を表示し、サムネイル表示領域４ｂに所要のサムネイル画像４３を表示している。
【００３４】
ここで、地図表示距離Ｒ１とは、地図情報４２の横方向サイズに相当する地図上の距離のことをいう。この地図表示距離Ｒ１は、多くのユーザが撮影指南のための道案内を希望するであろう代表的な距離（景勝地からの距離）を勘案して設定する。地図表示距離Ｒ１は一概に特定できないが、一般的にユーザが道案内を希望するのは景勝地の“近くまで”来たときといえるので、概ね数Ｋｍ程度の距離と考えて差し支えない。以下、この考え方に従い、地図表示距離Ｒ１、つまり、地図情報４２の横方向サイズ（Ｒ１）を便宜的に２Ｋｍとして説明する。
なお、地図情報４２の縦方向サイズについては、表示部４の画面比率（縦横比）から計算で求めることができる。たとえば、４：３の画面比率の場合、地図情報４２の縦方向サイズｘは、ｘ＝（３×Ｒ１）／４＝（３×２Ｋｍ）／４＝１．５Ｋｍになる。
以上のことから、地図情報４２は、メモリ２１に格納されている地図情報２９（図４参照）を所定のサイズ（Ｒ１（＝２Ｋｍ）×１．５Ｋｍ）で切り出したものに相当する。
【００３５】
地図表示領域４ａには、位置検出部１７で検出されたユーザ（が携行する撮像装置１）の現在位置４４（△記号で示す）が表示されている。この現在位置は、選択された景勝地までの道案内など、特別な場合を除いては常に地図の中央に表示させるようにしてもよい。さらに、いくつかの景勝地（Ｋ１、Ｋ２）と、それらの景勝地の撮影ポイント（Ｋ１＿Ｐ１〜Ｋ１＿Ｐ３、Ｋ２＿Ｐ１〜Ｋ２＿Ｐ３）も表示されている。
また、サムネイル表示領域４ｂには複数のサムネイル画像４３が表示されており、それらのサムネイル画像４３は、地図上に表示されている景勝地（Ｋ１、Ｋ２）の見本画像（第１の見本画像）と、それらの景勝地の撮影ポイント（Ｋ１＿Ｐ１〜Ｋ１＿Ｐ３、Ｋ２＿Ｐ１〜Ｋ２＿Ｐ３）から撮影した見本画像（第２の見本画像）の縮小画像である。
【００３６】
ユーザは、サムネイル画像４３を見て撮影したい見本画像をタッチパネル３で選択する。たとえば、（ｂ）に示すように、上から３番目のサムネイル画像４３を選択したとすると、このサムネイル画像４３は、撮影ポイントＫ１＿Ｐ２から撮影した景勝地Ｋ１の見本画像（第２の見本画像）であるので、その撮影ポイントＫ１＿Ｐ２が道案内の目的地になり、目的地（撮影ポイントＫ１＿Ｐ２）の表示状態が変化（たとえば、黒塗りつぶしの☆記号などで識別表示）するとともに、撮像装置１の現在位置４４から目的地までの経路に沿って道案内線４５が引かれる。
【００３７】
図７は、目的地に接近したときの表示例を示す図である。（ａ）はある程度の距離（たとえば、数百ｍ圏内）に近づいたときの表示例、（ｂ）はほぼ目的地付近（たとえば、数十ｍ圏内）に近づいたときの表示例である。目的地に接近する前では、現在位置を地図の中央に表示させることが望ましい場合が多いのに対して、目的地に接近したときには、現在位置と目的地（景勝地または撮影ポイント）とをそれぞれ地図の両端に近い位置に表示させることが望ましい場合が多いので、この場合もそのように表示するものとする。
【００３８】
（ａ）の場合、表示部４の画面には前記の地図情報４２よりも狭い範囲の地図情報４６が表示されている。この地図情報４６の横方向サイズを便宜的に候補一覧距離Ｒ２ということにする。この候補一覧距離Ｒ２は前記の地図表示距離Ｒ１よりも短い、たとえば、５００ｍである。この地図情報４６の縦方向サイズｘも前記の地図情報４２と同様に、画面の縦横比率（４：３）より、ｘ＝（３×Ｒ２）／４＝（３×５００ｍ）／４＝３７５ｍになる。
以上のことから、地図情報４６は、メモリ２１に格納されている地図情報２９（図４参照）を所定のサイズ（Ｒ２（＝５００ｍ）×３７５ｍ）で切り出したものに相当する。
【００３９】
（ｂ）の場合、表示部４の画面には、（ａ）の地図情報４６よりもさらに狭い範囲の地図情報４７が表示されている。この地図情報４７の横方向サイズを便宜的に構図案内距離Ｒ３ということにする。この構図案内距離Ｒ３は、（ａ）の候補一覧距離Ｒ２よりも短い、たとえば、２０ｍである。この地図情報４７の縦方向サイズｘも前記の地図情報４２と同様に、画面の縦横比率（４：３）より、ｘ＝（３×Ｒ３）／４＝（３×２０ｍ）／４＝１５ｍになる。
以上のことから、地図情報４６は、メモリ２１に格納されている地図情報２９（図４参照）を所定のサイズ（Ｒ３（＝２０ｍ）×１５ｍ）で切り出したものに相当する。
【００４０】
図８は、撮影ポイントにおける構図指南の説明図である。まず、（ａ）に示すように、表示部４の画面に２つの画像が重畳表示されている。以下、重畳下側、つまり、背面側の画像を背面画像４７ということにし、重畳上側、つまり、前面側の画像を前面画像４８ということにする。
背面画像４７は撮像部１４から周期的に出力される画像（ライブビュー画像）であり、この背面画像４７は撮像装置１の向き（撮影方向）に応じて内容が変化するが、前面画像４８はユーザによって選択されたサムネイル画像４３の元になっている見本画像（図７（ｂ）のＫ１＿Ｐ２）であって内容が変化しない固定の画像であり、しかも、裏側に位置する背面画像４７が透けて見える透過画像である点に特徴がある。
【００４１】
この特徴により、撮影時の構図指南を行うことができる。すなわち、（ａ）に示すように、背景画像４７（ライブビュー画像）の上に前面画像４８（見本画像）を透過表示すると、その表示を見たユーザは、撮影方向を変えたりズーム倍率を変えたりして両画像（背景画像４７と前面画像４８）を重ね合わせようとする構図調整を自然に行う。たとえば、（ａ）の例では、前面画像４８（見本画像）の被写体（便宜的に富士山）に対して背景画像４７（ライブビュー画像）の同被写体が画面の下に小さく写っているため、ユーザは、撮影方向を若干下にずらすとともに、ズーム倍率を上げる（望遠側に変化させる）という構図調整を自然に行うことになる。
（ｂ）は、構図調整中の画面表示例である。この（ｂ）に示すように、撮影方向を下にずらすと、背景画像４７（ライブビュー画像）の被写体が画面の上に移動する。また、ズーム倍率を上げると、背景画像４７（ライブビュー画像）の被写体が大きくなる。
【００４２】
このような構図調整を行うことにより、最終的に、（ｃ）に示すような構図一致の画像、すなわち、前面画像４８（見本画像）の構図に一致した背景画像４７（ライブビュー画像）を得ることができ、そのままシャッタボタン９を押すことにより、（ｄ）に示すように、見本画像と構図一致の撮影画像４９を得ることができる。
【００４３】
このように、実施形態では、景勝地や撮影ポイントまでの道案内を行うことができることに加え、景勝地や撮影ポイントにおける撮影の際に適正な「構図」の指南も行うことができるので、技量にかかわらず、誰でも簡単に出来映えのよい画像を得ることができるという特有の効果が得られる。これは、ライブビュー画像（背面画像４７）の上に見本となる画像（前面画像４８）を透過表示しているからであり、ユーザは、ライブビュー画像（背面画像４７）の構図を、見本となる画像（前面画像４８）の構図に合わせるだけで最適な構図調整を行うことができるからである。
【００４４】
以下、実施形態の動作をソフトウェア的に説明する。
図９および図１０は、中央制御部１９のＣＰＵ１９ａで実行される制御プログラムの要部フローを示す図である。
この制御プログラムでは、まず、初期処理として３つの距離（地図表示距離Ｒ１、候補一覧距離Ｒ２および構図案内距離Ｒ３）に任意の値を設定する（ステップＳ１）。ここでは、説明の便宜上、Ｒ１＝２Ｋｍ、Ｒ２＝５００ｍ、Ｒ３＝２０ｍとする。なお、これらの任意値はシステム固定の規定値であってもよいが、複数の値の中からユーザに選ばせたり、あるいは、ユーザよって任意に設定される値であってもよい。
【００４５】
次いで、位置検出部１７からの信号を取り込んで撮像装置１の現在位置を取得し（ステップＳ２）、現在の表示部４の表示モードが「地図表示」であるのか、または、「ライブビュー表示」であるのかを判定する（ステップＳ３）。「地図表示」モードとは、表示部４の地図表示領域４ａに地図情報２９を表示するモードのことをいい、「ライブビュー表示」のモードとは、撮像部１４から周期的に出力される画像（ライブビュー画像）を表示部４の画面にスルー表示するモードのことをいう。
【００４６】
ステップＳ３の判定結果が「地図表示」の場合は、次のステップＳ１００に進み、一方、ステップＳ３の判定結果が「ライブビュー表示」の場合は、表示部４にライブビュー画像を表示（サムネイル表示領域４ｂは残す）し（ステップＳ７）、撮影指示を判定して（ステップＳ８）、その判定結果がＹＥＳの場合に撮影記録を行い（ステップＳ８）、ステップＳ１０１に進む。
【００４７】
ステップＳ１００では、現在位置を中心とした地図表示距離Ｒ１で示される範囲の地図を表示し（ステップＳ４）、同時に、現在位置から地図表示距離Ｒ１以内に存在する景勝地または景勝地の撮影ポイントに対応する見本画像を検索し（ステップＳ５）、検索された見本画像に対応する複数の景勝地または複数の景勝地の撮影ポイントを地図上に識別表示するようにして一覧表示する（ステップＳ６）。距離Ｒ１以内の景勝地または景勝地の撮影ポイントが検索されなかった場合（検索ヒットしなかった手場合）にはステップＳ６の識別表示はスキップする。ステップＳ１００の表示例は先の図６である。
【００４８】
ステップＳ１０１では、現在位置から候補一覧距離Ｒ２以内に存在する複数の景勝地または複数の景勝地の撮影ポイントに対応する見本画像を検索し（ステップＳ１０）、検索された複数の見本画像を縮小し、サムネイル表示領域４ｂに一覧表示（ステップＳ１１）した後、ステップＳ１０２のステップＳ１２に進む。距離Ｒ２以内の景勝地または景勝地の撮影ポイントに対応する見本画像が検索されなかった場合（検索ヒットしなかった手場合）にはステップＳ１１の一覧表示はスキップする。ステップＳ１０１の表示例は先の図７（ａ）である。
【００４９】
ステップＳ１０２では、現在位置から構図案内距離Ｒ３以内に存在する景勝地または景勝地の撮影ポイントに対応する見本画像を検索し（ステップＳ１２）、該当する見本画像があるか否かを判定する（ステップＳ１３）。そして、見本画像がなければ撮影指示の判定を行い（ステップＳ１６）、一方、見本画像があれば、先の図８（ａ）で示したように、最も近い撮影ポイントに対応する見本画像を構図案内としてライブビュー画像上に透過表示し（ステップＳ１５）、撮影指示の判定を行う（ステップＳ１６）。距離Ｒ３以内の景勝地の撮影ポイントに対応する見本画像が検索されなかった場合（検索ヒットしなかった手場合）にはステップＳ１５の透過表示はスキップする。
【００５０】
そして、撮影指示でなければ、撮影の終了操作を判定し（ステップＳ１８）、終了操作でなければ再びステップＳ２に戻る一方、撮影終了操作であればプログラムを終了するが、撮影指示の場合は、先の図８（ｄ）で示したように、構図調整を完了した画像４８の記録（ステップＳ１７）を行った後、撮影の終了操作を判定する（ステップＳ１８）。
【００５１】
このように、実施形態の制御プログラムでは、地図情報を用いた経路案内（ステップＳ１００、ステップＳ１０１）を行うことができることに加え、ライブビュー表示と見本画像の透過表示とを用いた構図案内（ステップＳ１５）を行うことができるから、景勝地や撮影ポイントにおける撮影の際に適正な「構図」の指南を行うことができ、技量にかかわらず、誰でも簡単に出来映えのよい画像を得ることができるという特有の効果が得られる。
また、景勝地や撮影ポイントに近づくに従って、その地図上の位置を識別表示する動作から、その見本画像を縮小して一覧表示する動作を経て、その見本画像をライブビュー画像上に透過表示する動作に順番に移り変わるので、状況に応じて必要な情報を適切に案内することが可能となる。
【００５２】
なお、以上の実施形態では、現在位置から構図案内距離Ｒ３以内に存在する景勝地または景勝地の撮影ポイントに対応する見本画像を検索し（ステップＳ１２）、最も近い撮影ポイントに対応する見本画像を構図案内としてライブビュー画像上に透過表示（ステップＳ１５）しているが、この態様に限定されない。たとえば、さらに撮影方向や撮影日時、天候などを考慮して見本画像の絞り込みを行ってもよい。
【００５３】
図１１は、制御プログラムの変形例を示す図である。この図において、先の制御プログラム（図１０参照）との相違は、ステップＳ１４とステップＳ１５の代わりに、「該当する見本画像の中で、景勝地の撮影ポイントから見た景勝地の方向（図５の撮影方向ａ度〜ｆ度参照）が現在のカメラの向き（方位検出部１８の検出値）に一致しているものをさらに抽出」する処理（ステップＳ１９）と、「該当する見本画像の中で、撮影日時や天候が現在日時や天候に近いものをさらに抽出」する処理（ステップＳ２０）と、「該当する見本画像はあるか？」を判定する処理（ステップＳ２１）と、ステップＳ２１の判定結果がＹＥＳのときに「ライブビュー画像を表示」する処理（ステップＳ２２）と、「位置、日時、天候が最も近い見本画像を構図案内としてライブビュー画像上に透過表示」する処理（ステップＳ２３）とを実行する点にある。
【００５４】
このようにすると、撮影日時や天候にマッチした見本画像に絞り込むことができ、たとえば、季節感のある見本画像または天候を反映した見本画像あるいは時間帯（早朝や日没、夜景等）に合致した見本画像とすることができ、より一層、“撮影の見本”としてふさわしい見本画像とすることができる。
【００５５】
なお、この変形例を実現するためには、撮像装置１に方向検出手段、撮影日時検出手段および天候検出手段の各手段が必要になるが、方位検出部１８は方向検出手段に相当し、また、コンピュータ（ＣＰＵ１９ａ）を主要素として構成された中央制御部１９は、特殊な例外を除き一般的に日時信号を発生するカレンダー機能を有しているから、この中央制御部１９は撮影日時検出手段に相当する。また、撮像部１４は露出計の機能（周囲の明るさを計測する機能）を有しており、この露出は屋外の明るさ、すなわち天候の１つの指標を表すから、この撮像部１４は天候検出手段に相当するということができる。したがって、撮像装置１の現在の構成に方向検出手段、撮影日時検出手段および天候検出手段の各手段が含まれているので、前記の変形例の実現可能性に疑問はない。なお、撮像装置１に他の天候検出手段、たとえば、温度計や湿度計あるいは気圧計などを設けてもよいことはもちろんである。より正確に天候を検出できるから好ましい。
【００５６】
図１２は、制御プログラムの他の変形例を示す図である。先にも説明したとおり、地図情報２９（図４参照）はできるだけ広域なエリア（日本全域等）を網羅していることが望ましいものの、そのような広域の地図情報２９は情報量が多く、しかも、メモリ２１の記憶容量も有限であることから、現実的には必要なエリアに的を絞った特定地域の地図情報２９をその都度入手してメモリ２１の第２の領域２１ｂに記憶することになる。この変形例は、必要に応じて、ネットワーク２７上のサーバ２８から撮像装置１に情報をダウンロードする例を示している。
【００５７】
この図において、先の制御プログラム（図１０参照）との相違は、ステップＳ１６とステップＳ１７の代わりに、「現在地周辺の景勝地または景勝地の撮影ポイントに対応する見本画像をサーバからダウンロードする処理（ステップＳ２４）と、「撮影指示」を判定する処理（ステップＳ２５）と、「撮影記録」を行う処理（ステップＳ２６）と、「現在地を景勝地の撮影ポイントとし、撮影方向、日時、天候の情報とともに撮影画像をサーバにアップロード」する処理（ステップＳ２７）とを実行する点にある。
【００５８】
このようにすると、必要な情報（ここでは現在地周辺の景勝地または景勝地の撮影ポイントに対応する見本画像）をその都度、サーバからダウンロードするので、メモリ２１の記憶容量を圧迫しないというメリットが得られる。また、撮影済みの画像をサーバにアップロードするので、この点においても、メモリ２１の記憶容量を圧迫しないというメリットが得られる。加えて、撮影済みの画像と一緒に撮影方向や日時および天候の情報をサーバにアップロードするので、たとえば、インターネットの地図上に撮影ポイントや撮影方向、日時、天候などの情報を記録して後で振り返ってみたり、あるいは、友人などに旅の様子を知らせたりすることができる。
【００５９】
以上、本発明のいくつかの実施形態を説明したが、この発明は、これらに限定されるものではなく、特許請求の範囲に記載された発明とその均等の範囲を含むものである。
以下に、本件出願の特許請求の範囲に記載された発明を付記する。
【００６０】
（付記１）
請求項１に記載の発明は、
景勝地を臨む撮影ポイントの位置とその撮影ポイントから景勝地を撮影した状態を示す見本画像とを含む景勝地情報を複数記憶する記憶手段と、
現在位置を取得する現在位置取得手段と、
前記記憶手段に記憶されている複数の景勝地情報を一覧形式の第１の表示形態で表示する第１の表示手段と、
前記第１の表示手段により前記第１の表示形態で表示されているいずれかの景勝地情報に含まれる撮影ポイントまでの距離が、前記現在位置取得手段によって取得される現在位置に対して第１の距離以内となったときに、この第１の距離以内となった景勝地情報に含まれる１つの見本画像をスルー画像上に透過表示する第２の表示手段と
を備えたことを特徴とする撮像装置である。
（付記２）
請求項２に記載の発明は、
前記第１の表示手段は、前記第１の表示形態として、複数の景勝地情報に含まれる複数の見本画像をサムネイル表示することを特徴とする請求項１に記載の撮像装置である。
（付記３）
請求項３に記載の発明は、
前記第１の表示手段は、各景勝地情報に含まれる撮影ポイントまでの距離が、前記現在位置取得手段によって取得された現在位置に対して前記第１の距離よりも長い第２の距離以内である複数の景勝地情報を前記第１の表示形態で表示することを特徴とする請求項２に記載の撮像装置である。
（付記４）
請求項４に記載の発明は、
前記第１の表示手段は、第２の表示形態として、複数の景勝地情報に含まれる複数の撮影ポイントの位置を地図上に識別表示することを特徴とする請求項１又は請求項２いずれかに記載の撮像装置である。
（付記５）
請求項５に記載の発明は、
前記第１の表示手段は、各景勝地情報に含まれる撮影ポイントまでの距離が、前記現在位置取得手段によって取得された現在位置に対して前記第２の距離以上である複数の景勝地情報を前記第２の表示形態で表示することを特徴とする請求項４に記載の撮像装置である。
（付記６）
請求項６に記載の発明は、
さらに、撮影方向を検出する撮影方向検出手段を備え、
前記第２の表示手段は、いずれかの景勝地または撮影ポイントまでの距離が所定距離以内となり、かつ、前記撮影方向検出手段によって検出された現在の撮影方向が任意の撮影ポイントから景勝地を臨む方向に向いている場合に、この撮影ポイントから撮影された見本画像を見本画像をスルー画像上に透過表示することを特徴とする請求項１乃至請求項４いずれかに記載の撮像装置である。
（付記７）
請求項７に記載の発明は、
さらに、現在日時を取得する日時取得手段と、現在の天候に関する情報を取得する天候情報取得手段とを備え、
前記記憶手段は、撮影ポイントから撮影された見本画像を異なる日時や天候に対応して複数記憶し、前記第２の表示手段は、前記日時取得手段や天候情報取得手段の取得情報に応じて透過表示する見本画像の絞り込みを行うことを特徴とする請求項１乃至請求項６いずれかに記載の撮像装置である。
（付記８）
請求項８に記載の発明は、
さらに、撮影した画像に前記日時取得手段や天候情報取得手段の取得情報を付加してネットワーク上のサーバにアップロード可能なアップロード手段を備えたことを特徴とする請求項１乃至請求項７いずれかに記載の撮像装置である。
（付記９）
請求項９に記載の発明は、
前記記憶手段が記憶する景勝地情報は更に、景勝地の位置とその景勝地を示す代表画像である見本画像を含み、
前記第１の表示手段は、前記第１の表示形態で表示する見本画像として、景勝地を示す代表画像である見本画像と、撮影ポイントから景勝地を撮影した状態を示す見本画像の両方を含むことを特徴とする請求項１乃至請求項８いずれかに記載の撮像装置である。
（付記１０）
請求項１０に記載の発明は、
前記第２の表示手段は、スルー画像上に透過表示する見本画像として、景勝地を示す代表画像である見本画像ではなく、その景勝地の撮影ポイントから景勝地を撮影した状態を示す見本画像を使用することを特徴とする請求項９に記載の撮像装置である。
（付記１１）
請求項１１に記載の発明は、
前記第１の表示手段は、いずれかの撮影ポイントまでの距離が所定距離以内となるまでの間は、撮影ポイントの位置ではなくその撮影ポイントに対応する景勝地の位置に基づく案内表示を行い、いずれかの撮影ポイントまでの距離が所定距離以内となったときには、景勝地の位置ではなくその景勝地の撮影ポイントの位置に基づく案内表示を行うことを特徴とする請求項９に記載の撮像装置である。
（付記１２）
請求項１２に記載の発明は、
前記記憶手段は、景勝地の位置情報とその景勝地の撮影ポイントの位置情報とを記憶するとともに、景勝地の位置情報に関連付けした見本画像と、その景勝地の撮影ポイントの位置情報に関連付けした見本画像とを記憶することを特徴とする請求項９に記載の撮像装置である。
（付記１３）
請求項１３に記載の発明は、
前記記憶手段は、景勝地の位置情報とその景勝地の撮影ポイントの位置情報とを記憶するとともに、景勝地の位置情報に関連付けした見本画像と、その景勝地の撮影ポイントの位置情報に関連付けした見本画像と、さらに、撮影ポイントからの撮影方向の情報とを記録することを特徴とする請求項９に記載の撮像装置である。
（付記１４）
請求項１４に記載の発明は、
景勝地を臨む撮影ポイントの位置とその撮影ポイントから景勝地を撮影した状態を示す見本画像とを含む景勝地情報を複数記憶する記憶工程と、
現在位置を取得する現在位置取得工程と、
前記記憶手段に記憶されている複数の景勝地情報を一覧形式の第１の表示形態で表示する第１の表示工程と、
前記第１の表示工程により前記第１の表示形態で表示されているいずれかの景勝地情報に含まれる撮影ポイントまでの距離が、前記現在位置取得工程によって取得される現在位置に対して第１の距離以内となったときに、この第１の距離以内となった景勝地情報に含まれる１つの見本画像をスルー画像上に透過表示する第２の表示工程と
を含むことを特徴とする撮像方法である。
（付記１５）
請求項１５に記載の発明は、
撮像装置のコンピュータに、
景勝地を臨む撮影ポイントの位置とその撮影ポイントから景勝地を撮影した状態を示す見本画像とを含む景勝地情報を複数記憶する記憶手段、
現在位置を取得する現在位置取得手段、
前記記憶手段に記憶されている複数の景勝地情報を一覧形式の第１の表示形態で表示する第１の表示手段、
前記第１の表示手段により前記第１の表示形態で表示されているいずれかの景勝地情報に含まれる撮影ポイントまでの距離が、前記現在位置取得手段によって取得される現在位置に対して第１の距離以内となったときに、この第１の距離以内となった景勝地情報に含まれる１つの見本画像をスルー画像上に透過表示する第２の表示手段
としての機能を与えることを特徴とするプログラムである。
【符号の説明】
【００６１】
１  撮像装置
４  表示部（第１の表示手段、第２の表示手段）
１４  撮像部（天候情報取得手段）
１７  位置検出部（現在地取得手段）
１８  方位検出部（撮影方向検出手段）
１９  中央制御部（日時取得手段）
２１  メモリ（記憶手段）
２３  近距離無線部（アップロード手段）
【図１】
0005967400.tif 000002
【図２】
0005967400.tif 000003
【図３】
0005967400.tif 000004
【図４】
0005967400.tif 000005
【図５】
0005967400.tif 000006
【図６】
0005967400.tif 000007
【図７】
0005967400.tif 000008
【図８】
0005967400.tif 000009
【図９】
0005967400.tif 000010
【図１０】
0005967400.tif 000011
【図１１】
0005967400.tif 000012
【図１２】
0005967400.tif 000013